(57)【要約】【課題】汎用性の高い磁気センサーを用いつつ、アウト球排出口に磁石を配置する不正行為を確実に検知し、電動アクチュエーターからの磁気による誤検知を低減することができるパチンコ遊技機を提供すること。【解決手段】このパチンコ遊技機Ｐは、遊技盤１０の下方に横長形状となるように設けられ、電動開閉式入賞部１２内に流入しなかった遊技球を受け入れるアウト球排出口１３と、第１磁気検出センサー１３１ａと、第２磁気検出センサー１３１ｂと、を備え、第１磁気検出センサー１３１ａと第２磁気検出センサー１３１ｂとは、アウト球排出口１３の長手方向に沿うように並べて配置されている。【選択図】図１
2015062579.tif 000002
【特許請求の範囲】
【請求項１】
遊技盤に設けられた電動開閉式入賞部の球入口近傍に翼片が揺動自在に軸支され、電動アクチュエーターを作動させることにより前記翼片が起立状態から外傾状態に揺動し、前記球入口が広げられ遊技球が前記電動開閉式入賞部内に流入するようにしたパチンコ遊技機において、
前記遊技盤の下方に横長形状となるように設けられ、入賞部及び前記電動開閉式入賞部内に流入しなかった遊技球を受け入れるアウト球排出口と、
前記アウト球排出口近傍に設けられた第１磁気検出センサーと、
前記アウト球排出口近傍に設けられた第２磁気検出センサーと、を備え、
前記第１磁気検出センサーと前記第２磁気検出センサーとは、前記アウト球排出口の長手方向に沿うように並べて配置されていることを特徴とするパチンコ遊技機。
【発明の詳細な説明】
【技術分野】
【０００１】
本発明は、磁石が近接したことを検知する磁気検知センサーを用いて不正行為を検知するパチンコ遊技機に関する。
【背景技術】
【０００２】
遊技盤に設けられた電動開閉式入賞部の球入口近傍に翼片が揺動自在に軸支され、電動アクチュエーターを作動させることにより翼片が起立状態から外傾状態に揺動し、球入口が広げられ遊技球が電動開閉式入賞部内に流入するようにしたパチンコ遊技機が知られている（例えば、下記特許文献１参照）。
【先行技術文献】
【特許文献】
【０００３】
【特許文献１】特開２００９−６６３４２号公報
【発明の概要】
【発明が解決しようとする課題】
【０００４】
上記特許文献１では、遊技盤に発射された遊技球を磁石により吸引し、センター役物に入賞させるといった不正行為を的確に検知する技術が開示されている。その背景としては、磁気センサーを設けることにより、不正が行われたことを直ちに係員に報知されるようにする不正入賞防止装置が設けられていたことにおける解決すべき課題を解決したところにある。一般に磁気センサーは、感度を上げると遊技盤の裏側に設けられているソレノイドやモータといった磁気作用により動いている電動アクチュエーターが作動することによっても、異常として検知してしまい誤作動し易いという解決すべき課題があった。
【０００５】
上記特許文献１ではこの課題を解決するため、両端部から外方に広がる２つの略球形空間を磁気感知範囲とする磁気センサーを、一方の磁気感知範囲が球入口の外側となり他方の磁気感知範囲が球入口の内側となるように該球入口の壁面内に配設すると共に、該磁気センサーの後方であって両磁気感知範囲の狭間に位置するように電動アクチュエーターを配設したものである。
【０００６】
このように構成することで、磁気センサーにより可動羽根を有する球入口の外側および内側について広範囲に磁力を検知することができるものとされている。また、機内に設けられたソレノイドやモータといった電動アクチュエーターにより誤作動を起こすおそれが低減され、磁石を使用した不正入賞行為を適確に検知することができると記載されている。
【０００７】
ところで、磁石を使用した不正入賞行為は、上記態様に限られるものではない。例えば、アウト球排出口の付近に磁石を配置することで、遊技球がアウト球排出口に入る前に磁石で捕捉し、遊技球の流れを止めて遊技球を積み上げて行く不正行為の態様も知られている。この不正行為は、遊技球を積み上げることで入賞口のみに遊技球が入るように意図しているものである。
【０００８】
上記特許文献１に記載の手法は、アウト球排出口と電動アクチュエーターとの位置関係に対応するものではないため、アウト球排出口に磁石を配置する不正行為の検知を行うことができない。
【０００９】
本発明はこのような課題に鑑みてなされたものであり、その目的は、汎用性の高い磁気センサーを用いつつ、アウト球排出口に磁石を配置する不正行為を確実に検知し、電動アクチュエーターからの磁気による誤検知を低減することができるパチンコ遊技機を提供することにある。
【課題を解決するための手段】
【００１０】
上記課題を解決するために本発明に係るパチンコ遊技機は、遊技盤に設けられた電動開閉式入賞部の球入口近傍に翼片が揺動自在に軸支され、電動アクチュエーターを作動させることにより翼片が起立状態から外傾状態に揺動し、球入口が広げられ遊技球が電動開閉式入賞部内に流入するようにしたものであって、（１）遊技盤の下方に横長形状となるように設けられ、入賞部及び電動開閉式入賞部内に流入しなかった遊技球を受け入れるアウト球排出口と、（２）アウト球排出口近傍に設けられた第１磁気検出センサーと、（３）アウト球排出口近傍に設けられた第２磁気検出センサーと、を備え、第１磁気検出センサーと第２磁気検出センサーとは、アウト球排出口の長手方向に沿うように並べて配置されている。
【００１１】
本発明では、第１磁気検出センサーと第２磁気検出センサーとを、アウト球排出口の長手方向に沿うように並べて配置しているので、アウト球排出口に遊技球が入らないように配置された磁石の有無を確実に検知することができる。また、第１磁気検出センサー及び第２磁気検出センサーは、アウト球排出口の形状に合わせて配置されているので、それぞれの磁気検出能力を不必要に高める必然性がなく、電動アクチュエーターが発生する磁気を誤検知する可能性が低くなる。
【発明の効果】
【００１２】
本発明によれば、汎用性の高い磁気センサーを用いつつ、アウト球排出口に磁石を配置する不正行為を確実に検知し、電動アクチュエーターからの磁気による誤検知を低減することができるパチンコ遊技機を提供することができる。
【図面の簡単な説明】
【００１３】
【図１】本発明の実施形態に係るパチンコ遊技機の磁気検知センサーの配置態様を模式的に示す正面図である。
【図２】比較例としての磁気検知センサーの配置態様を模式的に示す図である。
【発明を実施するための形態】
【００１４】
以下、添付図面を参照しながら本発明の実施の形態について説明する。説明の理解を容易にするため、各図面において同一の構成要素に対しては可能な限り同一の符号を付して、重複する説明は省略する。
【００１５】
図１は、本発明の実施形態に係るパチンコ遊技機の磁気検知センサーの配置態様を模式的に示す正面図であって、パチンコ遊技機Ｐの遊技盤１０を示す図である。遊技盤１０は、打球発射装置(図示せず)から発射された遊技球を誘導するために前面に環状の外レール２と内レール３が設けられている。その内側の遊技領域の中には、図示しないセンター役物や普通入賞口が設けられている。
【００１６】
遊技盤１０においては、中央下方に電動開閉式入賞部１２が設けられている。電動開閉式入賞部１２は、一対の翼片１２２ａ，１２２ｂと、ソレノイド１２４と、入賞口１２１とを有している。
【００１７】
翼片１２２ａは、軸１２３ａを中心にして揺動可能なように取り付けられている。翼片１２２ｂは、軸１２３ｂを中心にして揺動可能なように取り付けられている。翼片１２２a及び翼片１２２ｂは、ソレノイド１２４の駆動に応じて進退するロッド（図示しない）によって押し引きされ揺動するように構成されている。
【００１８】
電動開閉式入賞部１２は、ソレノイドの作動により一対の翼片１２２ａ，１２２ｂが開閉動するように構成された所謂チューリップ型の電動開閉始動入賞口である。一対の翼片１２２ａ，１２２ｂは、起立状態から外傾状態に揺動することで、遊技球を受け入れ、入賞口１２１に取り込むことができる。
【００１９】
電動開閉式入賞部１２の下方には、アウト球排出口１３が設けられている。アウト球排出口１３は、遊技球を受け入れる部分である。このアウト球排出口１３に磁石を近づけて、人為的に球詰まりを起こさせる不正行為を検知するため、第１磁気検出センサー１３１ａと、第２磁気検出センサー１３１ｂとが設けられている。
【００２０】
第１磁気検出センサー１３１ａと第２磁気検出センサー１３１ｂとは、共にアウト球排出口１３近傍に設けられ、アウト球排出口１３の長手方向（図１に向かって左右方向）に沿うように並べて配置されている。第１磁気検出センサー１３１ａ及び第２磁気検出センサー１３１ｂは、アウト球排出口１３の近傍に配置されればよく、遊技盤１０を構成する板材の内部や裏面や表面のいずれに設けられても構わない。
【００２１】
本実施形態の第１磁気検出センサー１３１ａ及び第２磁気検出センサー１３１ｂは、リードスイッチである。従って、第１磁気検出センサー１３１ａの第１磁気検知領域１３２ａは略楕円形の領域であり、第２磁気検出センサー１３１ｂの第２磁気検知領域１３２ｂも略楕円形の領域である。
【００２２】
上述したように第１磁気検出センサー１３１ａと第２磁気検出センサー１３１ｂとを並べて配置すると、第１磁気検知領域１３２ａと第２磁気検知領域１３２ｂとが重ね合わされて磁気検知領域１３２が形成される。磁気検知領域１３２は、この領域に所定の強さ以上の磁場が発生すると、第１磁気検出センサー１３１ａ又は第２磁気検出センサー１３１ｂから検知信号が出力される領域である。
【００２３】
本実施形態のように、第１磁気検知領域１３２ａ及び第２磁気検知領域１３２ｂがそれぞれ略楕円形状を成している場合、それぞれの長軸方向がアウト球排出口１３の長手方向に沿うように、第１磁気検出センサー１３１ａと第２磁気検出センサー１３１ｂとを配置することが好ましい。このように配置することで、必要となるアウト球排出口１３の近傍のみに磁気検知領域１３２を形成することができる。
【００２４】
ソレノイド１２４によって発生する磁気は、磁気発生領域１２５を形成する。この磁気発生領域１２５と磁気検知領域１３２とが干渉すると、第１磁気検出センサー１３１ａ又は第２磁気検出センサー１３１ｂから検知信号が出力されるが、本実施形態の場合は、上述したように磁気検知領域１３２を必要最小限な範囲にのみ設定するよう工夫しているので、このような誤検知の発生が低減される。
【００２５】
本実施形態のように一般的なリードスイッチである、第１磁気検出センサー１３１ａと第２磁気検出センサー１３１ｂとを１個ずつ配置することは、検知領域の適正なる設定の観点から好ましいものである。磁気検知センサーを１個のみ配置した例を図２に示す。単一の磁気検知センサー１３５を配置し、アウト球排出口１３の検知必要領域をカバーしようとすると、図２に示すように、上下方向にも検知領域が拡大された磁気検知領域１３５ａが形成される。そのため、磁気検知領域１３５ａと磁気発生領域１２５とが干渉し、磁気検知センサー１３５から検知信号が出力される。
【００２６】
本実施形態では、第１磁気検出センサー１３１ａ及び第２磁気検出センサー１３１ｂとして、リードスイッチを用いたが、このタイプのスイッチに限られるものではない。例えば、磁気抵抗素子といった検出素子を、第１磁気検出センサー１３１ａ及び第２磁気検出センサー１３１ｂとして用いることも好ましいものである。もっとも、上述した本発明の趣旨からすれば、第１磁気検出センサー１３１ａ及び第２磁気検出センサー１３１ｂとしては、磁気抵抗素子のように鋭敏な検知力を持ち極めて狭い範囲における磁場を検知できるものよりも、リードスイッチのように鈍感であり、センサー本体に近い場所に磁場が発生した場合に検知可能なものを用いた方がより好ましい態様であるといえる。
【符号の説明】
【００２７】
２：外レール
３：内レール
１０：遊技盤
１２：電動開閉式入賞部
１３：アウト球排出口
１２１：入賞口
１２２ａ：翼片
１２２ｂ：翼片
１２３ａ：軸
１２３ｂ：軸
１２４：ソレノイド
１２５：磁気発生領域
１３１ａ：磁気検出センサー
１３１ｂ：磁気検出センサー
１３２：磁気検知領域
１３２ａ；磁気検知領域
１３２ｂ：磁気検知領域
１３５：磁気検知センサー
１３５ａ：磁気検知領域
Ｐ：パチンコ遊技機
【図１】
2015062579.tif 000003
【図２】
2015062579.tif 000004